(57)【要約】【課題】機密保護方法が適用されたファイルについて復元化処理をするに際して、管理者が端末の使用許可場所を指定して限定的に登録設定可能とし、一方一般ユーザにとって、この限定的な登録設定の範囲内にあって使い勝手のよい使用許可場所設定であるものとなすことで、一般ユーザの使用上の便宜を図って使い勝手のよい復元化前処置を行うようにして、セキュリテイ上の安全性を向上させる。【解決手段】端末の設定場所を含む地点及び当該地点を中心として任意の地域範囲を表示させ、当該地域範囲内の任意場所を当該端末の管理者に指定させて当該端末についての緯度と経度を持つ使用場所を設定させることで、複数の使用場所を登録させることを可能とさせるものであって、複数登録した使用場所を１画面上に編集させることを可能とし、端末の有する位置情報取得手段が取得した当該端末の位置する現在の地理的位置情報から当該端末の位置する現在の使用場所を取得して使用可能とさせる。【選択図】図１
2020009150.tif 000002
【特許請求の範囲】
【請求項１】
端末が、プログラム又はデータが記述されたファイルを機密化処理して機密化処理ファイルを生成する機密化処理ファイル生成手段、及び
機密化処理ファイルを復元化処理して元のファイルに復元化する復元処理手段を備え、当該端末に装着される復元化前処理アプリケ―ション装置であって、
当該復元化前処理アプリケ―ション装置を管理する管理者を制限的に登録することを可能とし、及び当該端末の使用を許可する一般ユーザを登録することを可能とし、
機密化処理環境設定手段及び設定環境確認手段を有し、当該機密化処理環境設定手段が、
端末の画面表示手段の画面に、当該端末の設定場所を含む地点及び緯度と経度を持つ当該地点を中心として任意の地域範囲を表示させ、当該地域範囲を当該端末の管理者に指定させて当該端末についての使用場所を設定させることで、複数の使用場所を登録させることを可能とさせるものであって、複数登録した使用場所を１画面上に編集させることを可能とし、
当該設定環境確認手段が、
端末の有する位置情報取得手段が取得した当該端末の位置する現在の地理的位置情報から当該端末の位置する現在の使用場所を取得して使用可能とさせ、
一般ユーザから、前記復元処理手段への機密処理ファイルを元のファイルに復元化処理指示があったときに、前記復元処理手段が機密処理ファイルを元のファイルに復元化することに先立って、当該端末の位置する現在の使用場所を、１画面上に編集された登録された使用場所に含まれるかどうかを比較させ、当該現在の使用場所が登録された使用場所に含まれる判定があったときに、前記復元処理手段に復元処理を許可させて、復元化前処理させること
を特徴とする復元化前処理アプリケ―ション装置。
【請求項２】
請求項１に記載された復元化前処理アプリケ―ション装置を備えた端末であって、
当該機密化処理環境設定手段によって、
端末の画面表示手段の画面に、当該端末の設定位置を現す地点及び当該地点を中心として任意の地域範囲を表示し、当該地域範囲内の任意場所を当該端末の管理者に指定させて当該端末についての緯度と経度を持つ使用場所を設定させることで、複数の使用場所を登録させることを可能とさせるものであって、複数登録した使用場所を１画面上に編集させることを可能として、複数登録した使用場所を１画面上に編集し、
当該設定環境確認手段によって、
端末の有する位置情報取得手段が取得した当該端末の位置する現在の地理的位置情報から当該端末の位置する現在の使用場所を比較のため使用可能とし、
一般ユーザから、前記復元処理手段への機密処理ファイルを元のファイルに復元化機密化処理指示があったときに、前記復元処理手段が機密処理ファイルを元のファイルに復元化することに先立って、当該端末の位置する現在の使用場所を、１画面上に編集された、登録された使用場所に含まれるかどうかを比較し、当該現在の使用場所が登録された使用場所に含まれる判定をしたときに、前記復元処理手段に復元処理を許可して、復元化前処理し、
機密処理ファイルから元のファイルを復元化すること
を特徴とする復元化前処理アプリケ―ション装置を備えた端末。
【請求項３】
端末が、プログラム又はデータが記述されたファイルを機密化処理して機密化処理ファイルを生成する機密化処理ファイル生成手段、及び
機密化処理ファイルを復元化処理して元のファイルに復元化する復元処理手段を備え、当該端末に装着される復元化前処理アプリケ―ション装置であって、
機密化処理環境設定手段及び設定環境確認手段を有し、当該機密化処理環境設定手段が、
端末の画面表示手段の画面に、当該端末の設定場所を含む地点及び緯度と経度を持つ当該地点を中心として任意の地域範囲を表示させ、当該地域範囲を指定させると当該端末についての使用場所が設定され、複数の使用場所を登録させることを可能とさせるものであって、複数登録した使用場所を１画面上に編集させることを可能とし、
当該設定環境確認手段が、
端末の有する位置情報取得手段が取得した当該端末の位置する現在の地理的位置情報から当該端末の位置する現在の使用場所を取得して使用可能とさせ、
前記復元処理手段への機密処理ファイルを元のファイルに復元化処理指示があったときに、前記復元処理手段が機密処理ファイルを元のファイルに復元化することに先立って、当該端末の位置する現在の使用場所を、１画面上に編集された登録された使用場所に含まれるかどうかを比較させ、当該現在の使用場所が登録された使用場所に含まれる判定があったときに、前記復元処理手段に復元処理を許可させて、復元化前処理させること
を特徴とする復元化前処理アプリケ―ション装置。
【請求項４】
端末が、プログラム又はデータが記述されたファイルを機密化処理して機密化処理ファイルを生成する機密化処理ファイル生成手段、及び
機密化処理ファイルを復元化処理して元のファイルに復元化する復元処理手段を備え、当該端末に装着される復元化前処理アプリケ―ション装置によって復元化前処理し端末に機密化処理されたファイルを生成させ、復元させる方法において、
端末の画面表示手段の画面に、当該端末の設定場所を含む地点及び緯度と経度を持つ当該地点を中心として任意の地域範囲を表示させ、当該地域範囲を当該端末の管理者に指定させて当該端末についての使用場所を設定させることで、複数の使用場所を登録させることを可能とさせるものであって、複数登録した使用場所を１画面上に編集させることを可能とし、
端末の有する位置情報取得手段が取得した当該端末の位置する現在の地理的位置情報から当該端末の位置する現在の使用場所を取得して使用可能とさせ、
一般ユーザから、前記復元処理手段への機密処理ファイルを元のファイルに復元化機密化処理指示があったときに、前記復元処理手段が機密処理ファイルを元のファイルに復元化することに先立って、当該端末の位置する現在の使用場所を、１画面上に編集された  登録された使用場所に含まれるかどうかを比較させ、当該現在の使用場所が登録された使用場所に含まれる判定があったときに、前記復元化手段に復元処理を許可させて、復元化前処理させること
を特徴とする復元化前処理アプリケ―ション装置によって復元化前処理して端末に機密化処理されたファイルを生成させ、復元させる方法。
【請求項５】
請求項４に記載された復元化前処理アプリケ―ション装置によって復元化前処理して端末に機密化処理されたファイルを生成させ、復元させる方法を有して、当該端末が実行するファイルの機密化処理方法及び復元化処理方法であって、
端末の画面表示手段の画面に、当該端末の設定位置を現す地点及び当該地点を中心として任意の地域範囲を表示し、当該地域範囲内の場所を当該端末の管理者に指定させて当該端末の使用場所を設定し、使用場所の緯度と経度を設定し、使用場所の緯度と経度を持つ画面を登録させ、前記地点を変更して使用場所の緯度と経度を持つ画面を複数登録させることを可能とするものであって、複数登録した使用場所を１画面上に編集し、
端末の有する位置情報取得手段が取得した当該端末の位置する現在の地理的位置情報から当該端末の位置する現在の使用場所を使用可能とし、
一般ユーザから、前記復元処理手段への機密処理ファイルを元のファイルに復元化指示があったときに、前記復元処理手段が機密処理ファイルを元のファイルに復元化することに先立って、当該端末の位置する現在の使用場所を、１画面上に編集された登録された使用場所に含まれるかどうかを比較し、当該現在の使用場所が登録された使用場所に含まれる判定をしたときに、前記復元処理手段に復元処理を許可して、復元処理前処理し、
機密処理ファイルから元のファイルを復元化すること
を特徴とする端末が実行するファイルの機密化処理方法及び復元化処理方法。
【請求項６】
端末が、プログラム又はデータが記述されたファイルを符号化処理によって分割割符ファイル化処理して分割割符ファイルを生成する分割割符ファイル生成手段、及び
分割割符ファイルを復元化処理して元のファイルに復元化する復元処理手段を備え、当該端末に装着される復元化前処理アプリケ―ション装置であって、
当該端末を管理する管理者及び当該端末の使用を許可する一般ユーザを登録することを可能とし、
割符環境設定手段及び割符設定環境確認手段を有し、当該割符処理環境設定手段が、
端末の画面表示手段の画面に、当該端末の設定場所を含む地点及び緯度と経度を持つ当該地点を中心として任意の地域範囲を表示させ、当該地域範囲を当該端末の管理者に指定させて当該端末についての使用場所を設定させることで、複数の使用場所を登録させることを可能とさせるものであって、複数登録した使用場所を１画面上に編集させることを可能とし、
当該割符設定環境確認手段が、
端末の有する位置情報取得手段が取得した当該端末の位置する現在の地理的位置情報から当該端末の位置する現在の使用場所を取得して使用可能とさせ、
一般ユーザから、前記復元処理手段への分割割符ファイルを元のファイルに復元化処理指示があったときに、前記復元処理手段が分割割符ファイルを元のファイルに復元化することに先立って、当該端末の位置する現在の使用場所を、１画面上に編集された登録された使用場所に含まれるかどうかを比較させ、当該現在の使用場所が登録された使用場所に含まれる判定があったときに、前記復元処理手段に復元処理を許可させて、復元化前処理させること
を特徴とする復元化前処理アプリケ―ション装置。
【請求項７】
請求項６に記載された復元化前処理アプリケ―ション装置において、
端末の画面表示手段の画面に、当該端末の設定場所を含む地点及び緯度と経度を持つ当該地点を中心として任意の半径内の地域範囲を表示させることを特徴とする復元化前処理アプリケ―ション装置
【請求項８】
請求項６または７に記載された復元化前処理アプリケ―ション装置を備えた端末であって、
当該割符処理環境設定手段によって、
端末の画面表示手段の画面に、当該端末の設定場所を含む地点及び緯度と経度を持つ当該地点を中心として任意の地域範囲を表示させ、当該地域範囲を当該端末の管理者に指定させて当該端末についての使用場所を設定させることで、複数の使用場所を登録させることを可能とさせるものであって、複数登録した使用場所を１画面上に編集させることを可能として、複数登録した使用場所を１画面上に編集し、
当該設定環境確認手段によって、
端末の有する位置情報取得手段が取得した当該端末の位置する現在の地理的位置情報から当該端末の位置する現在の使用場所を比較のため使用可能とし、
一般ユーザから、前記復元処理手段への分割割符ファイルを元のファイルに復元化処理指示があったときに、前記復元処理手段が分割割符ファイルを元のファイルに復元化することに先立って、当該端末の位置する現在の使用場所を、１画面上に編集された使用場所に含まれるかどうかを比較し、当該現在の使用場所が登録された使用場所に含まれる判定をしたときに、前記復元処理手段に復元処理を許可して、復元化前処理し、
分割割符ファイルから元のファイルを復元化すること
を特徴とする復元化前処理アプリケ―ション装置を備えた端末。
【請求項９】
端末が、プログラム又はデータが記述されたファイルを符号化処理によって分割割符ファイル化処理して分割割符ファイルを生成する分割割符ファイル生成手段、
分割割符ファイルを復元化処理して元のファイルに復元化する復元処理手段、及び復元化前処理アプリケ―ション装置を備え、端末に前記復元化前処理アプリケ―ション装置によって復元化前処理をさせる方法において、
当該端末の設定場所を含む地点及び当該地点を中心として任意の地域範囲を表示させ、当該地域範囲内の任意場所を当該端末の管理者に指定させて当該端末についての緯度と経度を持つ使用場所を設定させることで、複数の使用場所を登録させることを可能とさせるものであって、複数登録した使用場所を１画面上に編集させることを可能とし、
端末の有する位置情報取得手段が取得した当該端末の位置する現在の地理的位置情報から当該端末の位置する現在の使用場所を取得して使用可能とさせ、
一般ユーザから、前記復元処理手段への分割割符ファイルを元のファイルに復元化処理指示があったときに、前記復元処理手段が分割割符ファイルを元のファイルに復元化することに先立って、当該端末の位置する現在の使用場所を、１画面上に編集された  登録された使用場所に含まれるかどうかを比較させ、当該現在の使用場所が登録された使用場所に含まれる判定があったときに、前記復元処理手段に復元処理を許可させて、復元化前処理させること
を特徴とする端末に復元化前処理アプリケ―ション装置によって復元化前処理をさせる方法。
【請求項１０】
請求項９に記載された端末に復元化前処理アプリケ―ション装置によって復元化前処理をさせる方法を備えて、端末が実行するファイルの割符処理方法及び復元処理方法であって、
端末の画面表示手段の画面に、当該端末の設定位置を現す地点及び当該地点を中心として任意の地域範囲を表示し、当該地域範囲内の任意場所を当該端末の管理者に指定させて当該端末についての緯度と経度を持つ使用場所を設定させることで、複数の使用場所を登録させることを可能とさせるものであって、複数登録した使用場所を１画面上に編集させることを可能とし、
端末の有する位置情報取得手段が取得した当該端末の位置する現在の地理的位置情報から当該端末の位置する現在の使用場所を使用可能とし、
一般ユーザから、前記復元処理手段への分割割符ファイルを元のファイルに復元化機密化処理指示があったときに、前記復元処理  手段が分割割符ファイルを元のファイルに復元化することに先立って、当該端末の位置する現在の使用場所を、１画面上に編集された  登録された使用場所に含まれるかどうかを比較し、当該現在の使用場所が登録された使用場所に含まれる判定をしたときに、前記復元処理手段に復元処理を許可して、復元化前処理し、
分割割符ファイルから元のファイルを復元化すること
を特徴とする端末が実行するファイルの割符処理方法及び復元化処理方法。
【請求項１１】
請求項１０に記載された端末が実行するファイルの割符処理方法及び復元化処理方法において、
端末の画面表示手段の画面に、当該端末の設定場所を含む地点及び緯度と経度を持つ当該地点を中心として任意の半径内の地域範囲を表示させることを特徴とする端末が実行するファイルの割符処理方法及び復元化処理方法。
【発明の詳細な説明】
【技術分野】
【０００１】
本発明は、機密化処理・復元化前処理アプリケ―ション装置、当該機密化処理・復元化前処理アプリケ―ション装置端末、当該機密化処理・復元化前処理アプリケ―ション装置による端末に機密化処理・復元化前処理をさせる方法及び当該端末の機密化処理・復元化前処理方法、例えば割符処理・復元化前処理アプリケ―ション装置、当該割符処理・復元化前処理アプリケ―ション装置端末、当該割符処理・復元化前処理アプリケ―ション装置による端末に割符処理・復元化前処理をさせる方法及び当該端末の割符処理・復元化前処理方法に関する。
【背景技術】
【０００２】
モバイル端末が普及し、場所を問わないコンピューテイングが可能である。このようなモバイル端末には、通信機器が搭載され、オフイス外であってもデータ通信を行うことができる。また、ＧＰＳ（Global Positioning System ）などの位置測定機能が搭載されていて、測定時点での地球上の位置（緯度、経度）が測定できる。
【０００３】
このようなモバイル端末は、ビジネスを遂行する上で極めて有効な手段となっている。
【０００４】
しかしながら、モバイル端末を紛失したり盗難された場合に、データを不正に使用されるといったセキュリテイの危険性が増えることになった。このような危険性は、モバイル端末に限定されず、一般の端末についてもいえることである。
【０００５】
このような危険性を削減するための方法として、暗号化アプリケ―ション装置あるいは割符アプリケ―ション装置などの機密処理のためのアプリケ―ション装置が端末に備えられ、使用される。このような機密処理のためのアプリケ―ション装置を備えた端末の使用においてセキュリテイの危険性を削減できるとしても、セキュリテイ上の安全性をさらに一層向上させることが求められる。
【０００６】
特許文献１には、実際の地理的位置を確定し、この実際の地理的位置と格納情報へのアクセスが許可された地理的領域とを比較することで、格納情報へのアクセスを許す方法が記載される。
【０００７】
特許文献２には、モバイル端末に機密データを入れる前にデータの暗号化を施し、機密データの使用時にモバイル端末の位置を確認し、許可された場所かどうかを判定し、許可された場所ならば複合してデータの使用を許可するようにしたモバイル端末管理装置が記載される。
【先行技術文献】
【特許文献】
【０００８】
【特許文献１】特開２０００−１６３３７９号公報
【特許文献２】特開２００３−２５６２８７号公報
【発明の概要】
【発明が解決しようとする課題】
【０００９】
特許文献１、２に記載されるように機密データの使用時にモバイル端末の位置を確認し、許可された場所かどうかを判定し、許可された場所ならば復元して機密にされたデータの使用を許可するようにした構成を備えた端末とすることで、セキュリテイ上の安全性を向上させることができる。これらの文献には、セキュリテイ上の安全性の向上について記載するが、許可された場所に制限を設定することについて記載しておらず、セキュリテイ上の安全性の向上は限定的なものとなっている。許可された場所の設定に際して許可された場所の設定できる人的な制限がなければ、セキュリテイ上の安全性の向上は限定的なものとなる。  また、この制限によってユーザが使い勝手が悪いものであっては、端末による作業上の効率が悪いものとなる。
【００１０】
本発明は、かかる点に鑑み機密保護方法が適用されたファイルについて復元化処理をするに際して、管理者が端末の使用許可場所を指定して限定的に登録設定可能とし、紛失したり盗難されたり、あるいは不正使用された場合にあっても、セキュリテイの危険性をなくし、一方一般ユーザにとって、この限定的な登録設定の範囲内にあって使い勝手のよい使用場所設定であるものとなすことで、一般ユーザの使用上の便宜を図って使い勝手のよい復元化前処置を行うようにして、セキュリテイ上の安全性を向上させることを課題とする。
【課題を解決するための手段】
【００１１】
本発明は、端末が、プログラム又はデータが記述されたファイルを機密化処理して機密化処理ファイルを生成する機密化処理ファイル生成手段、及び
機密化処理ファイルを復元化処理して元のファイルに復元化する復元処理手段を備え、当該端末に装着される復元化前処理アプリケ―ション装置であって、
当該復元化前処理アプリケ―ション装置を管理する管理者を制限的に登録することを可能とし、及び当該端末の使用を許可する一般ユーザを登録することを可能とし、
機密化処理環境設定手段及び設定環境確認手段を有し、当該機密化処理環境設定手段が、
端末の画面表示手段の画面に、当該端末の設定場所を含む地点及び緯度と経度を持つ当該地点を中心として任意の地域範囲を表示させ、当該地域範囲を当該端末の管理者に指定させて当該端末についての使用場所を設定させることで、複数の使用場所を登録させることを可能とさせるものであって、複数登録した使用場所を１画面上に編集させることを可能とし、
当該設定環境確認手段が、
端末の有する位置情報取得手段が取得した当該端末の位置する現在の地理的位置情報から当該端末の位置する現在の使用場所を取得して使用可能とさせ、
一般ユーザから、前記復元処理手段への機密処理ファイルを元のファイルに復元化処理指示があったときに、前記復元処理手段が機密処理ファイルを元のファイルに復元化することに先立って、当該端末の位置する現在の使用場所を、１画面上に編集された登録された使用場所に含まれるかどうかを比較させ、当該現在の使用場所が登録された使用場所に含まれる判定があったときに、前記復元処理手段に復元処理を許可させて、復元化前処理させること
を特徴とする復元化前処理アプリケ―ション装置を提供する。
【００１２】
本発明は、上述された復元化前処理アプリケ―ション装置を備えた端末であって、
当該機密化処理環境設定手段によって、
端末の画面表示手段の画面に、当該端末の設定位置を現す地点及び当該地点を中心として任意の地域範囲を表示し、当該地域範囲内の任意場所を当該端末の管理者に指定させて当該端末についての緯度と経度を持つ使用場所を設定させることで、複数の使用場所を登録させることを可能とさせるものであって、複数登録した使用場所を１画面上に編集させることを可能として、複数登録した使用場所を１画面上に編集し、
当該設定環境確認手段によって、
端末の有する位置情報取得手段が取得した当該端末の位置する現在の地理的位置情報から当該端末の位置する現在の使用場所を比較のため使用可能とし、
一般ユーザから、前記復元処理手段への機密処理ファイルを元のファイルに復元化機密化処理指示があったときに、前記復元処理手段が機密処理ファイルを元のファイルに復元化することに先立って、当該端末の位置する現在の使用場所を、１画面上に編集された  登録された使用場所に含まれるかどうかを比較し、当該現在の使用場所が登録された使用場所に含まれる判定をしたときに、前記復元処理手段に復元処理を許可して、復元化前処理し、
機密処理ファイルから元のファイルを復元化すること
を特徴とする復元化前処理アプリケ―ション装置を備えた端末を提供する。
【００１３】
本発明は、端末が、プログラム又はデータが記述されたファイルを機密化処理して機密化処理ファイルを生成する機密化処理ファイル生成手段、及び
機密化処理ファイルを復元化処理して元のファイルに復元化する復元処理手段を備え、当該端末に装着される復元化前処理アプリケ―ション装置であって、
機密化処理環境設定手段及び設定環境確認手段を有し、当該機密化処理環境設定手段が、
端末の画面表示手段の画面に、当該端末の設定場所を含む地点及び緯度と経度を持つ当該地点を中心として任意の地域範囲を表示させ、当該地域範囲を指定させると当該端末についての使用場所が設定され、複数の使用場所を登録させることを可能とさせるものであって、複数登録した使用場所を１画面上に編集させることを可能とし、
当該設定環境確認手段が、
端末の有する位置情報取得手段が取得した当該端末の位置する現在の地理的位置情報から当該端末の位置する現在の使用場所を取得して使用可能とさせ、
前記復元処理手段への機密処理ファイルを元のファイルに復元化処理指示があったときに、前記復元処理手段が機密処理ファイルを元のファイルに復元化することに先立って、当該端末の位置する現在の使用場所を、１画面上に編集された登録された使用場所に含まれるかどうかを比較させ、当該現在の使用場所が登録された使用場所に含まれる判定があったときに、前記復元処理手段に復元処理を許可させて、復元化前処理させること
を特徴とする復元化前処理アプリケ―ション装置提供する。
【００１４】
本発明は、端末が、プログラム又はデータが記述されたファイルを機密化処理して機密化処理ファイルを生成する機密化処理ファイル生成手段、及び
機密化処理ファイルを復元化処理して元のファイルに復元化する復元処理手段を備え、当該端末に装着される復元化前処理アプリケ―ション装置によって復元化前処理し端末に機密化処理されたファイルを生成させ、復元させる方法において、
端末の画面表示手段の画面に、当該端末の設定場所を含む地点及び緯度と経度を持つ当該地点を中心として任意の地域範囲を表示させ、当該地域範囲を当該端末の管理者に指定させて当該端末についての使用場所を設定させることで、複数の使用場所を登録させることを可能とさせるものであって、複数登録した使用場所を１画面上に編集させることを可能とし、
端末の有する位置情報取得手段が取得した当該端末の位置する現在の地理的位置情報から当該端末の位置する現在の使用場所を取得して使用可能とさせ、
一般ユーザから、前記復元処理手段への機密処理ファイルを元のファイルに復元化機密化処理指示があったときに、前記復元処理手段が機密処理ファイルを元のファイルに復元化することに先立って、当該端末の位置する現在の使用場所を、１画面上に編集された、登録された使用場所に含まれるかどうかを比較させ、当該現在の使用場所が登録された使用場所に含まれる判定があったときに、前記復元化手段に復元処理を許可させて、復元化前処理させること
を特徴とする復元化前処理アプリケ―ション装置によって復元化前処理して端末に機密化処理されたファイルを生成させ、復元させる方法提供する。
【００１５】
本発明は、上述された復元化前処理アプリケ―ション装置によって復元化前処理して端末に機密化処理されたファイルを生成させ、復元させる方法を有して、当該端末が実行するファイルの機密化処理方法及び復元化処理方法であって、
端末の画面表示手段の画面に、当該端末の設定位置を現す地点及び当該地点を中心として任意の地域範囲を表示し、当該地域範囲内の場所を当該端末の管理者に指定させて当該端末の使用場所を設定し、使用場所の緯度と経度を設定し、使用場所の緯度と経度を持つ画面を登録させ、前記地点を変更して使用場所の緯度と経度を持つ画面を複数登録させることを可能とするものであって、複数登録した使用場所を１画面上に編集し、
端末の有する位置情報取得手段が取得した当該端末の位置する現在の地理的位置情報から当該端末の位置する現在の使用場所を使用可能とし、
一般ユーザから、前記復元処理手段への機密処理ファイルを元のファイルに復元化指示があったときに、前記復元処理手段が機密処理ファイルを元のファイルに復元化することに先立って、当該端末の位置する現在の使用場所を、１画面上に編集された登録された使用場所に含まれるかどうかを比較し、当該現在の使用場所が登録された使用場所に含まれる判定をしたときに、前記復元処理手段に復元処理を許可して、復元処理前処理し、
機密処理ファイルから元のファイルを復元化すること
を特徴とする端末が実行するファイルの機密化処理方法及び復元化処理方法提供する。
【００１６】
本発明は、端末が、プログラム又はデータが記述されたファイルを符号化処理によって分割割符ファイル化処理して分割割符ファイルを生成する分割割符ファイル生成手段、及び
分割割符ファイルを復元化処理して元のファイルに復元化する復元処理手段を備え、当該端末に装着される復元化前処理アプリケ―ション装置であって、
当該端末を管理する管理者及び当該端末の使用を許可する一般ユーザを登録することを可能とし、
割符環境設定手段及び割符設定環境確認手段を有し、当該割符処理環境設定手段が、
端末の画面表示手段の画面に、当該端末の設定場所を含む地点及び緯度と経度を持つ当該地点を中心として任意の地域範囲を表示させ、当該地域範囲を当該端末の管理者に指定させて当該端末についての使用場所を設定させることで、複数の使用場所を登録させることを可能とさせるものであって、複数登録した使用場所を１画面上に編集させることを可能とし、
当該割符設定環境確認手段が、
端末の有する位置情報取得手段が取得した当該端末の位置する現在の地理的位置情報から当該端末の位置する現在の使用場所を取得して使用可能とさせ、
一般ユーザから、前記復元処理手段への分割割符ファイルを元のファイルに復元化処理指示があったときに、前記復元処理手段が分割割符ファイルを元のファイルに復元化することに先立って、当該端末の位置する現在の使用場所を、１画面上に編集された登録された使用場所に含まれるかどうかを比較させ、当該現在の使用場所が登録された使用場所に含まれる判定があったときに、前記復元処理手段に復元処理を許可させて、復元化前処理させること
を特徴とする復元化前処理アプリケ―ション装置提供する。
【００１７】
本発明は、上述された復元化前処理アプリケ―ション装置において、
端末の画面表示手段の画面に、当該端末の設定場所を含む地点及び緯度と経度を持つ当該地点を中心として任意の半径内の地域範囲を表示させることを特徴とする復元化前処理アプリケ―ション装置
本発明は、上述された復元化前処理アプリケ―ション装置を備えた端末であって、
当該割符処理環境設定手段によって、
端末の画面表示手段の画面に、当該端末の設定場所を含む地点及び緯度と経度を持つ当該地点を中心として任意の地域範囲を表示させ、当該地域範囲を当該端末の管理者に指定させて当該端末についての使用場所を設定させることで、複数の使用場所を登録させることを可能とさせるものであって、複数登録した使用場所を１画面上に編集させることを可能として、複数登録した使用場所を１画面上に編集し、
当該設定環境確認手段によって、
端末の有する位置情報取得手段が取得した当該端末の位置する現在の地理的位置情報から当該端末の位置する現在の使用場所を比較のため使用可能とし、
一般ユーザから、前記復元処理手段への分割割符ファイルを元のファイルに復元化処理指示があったときに、前記復元処理手段が分割割符ファイルを元のファイルに復元化することに先立って、当該端末の位置する現在の使用場所を、１画面上に編集された使用場所に含まれるかどうかを比較し、当該現在の使用場所が登録された使用場所に含まれる判定をしたときに、前記復元処理手段に復元処理を許可して、復元化前処理し、
分割割符ファイルから元のファイルを復元化すること
を特徴とする復元化前処理アプリケ―ション装置を備えた端末提供する。
【００１８】
本発明は、端末が、プログラム又はデータが記述されたファイルを符号化処理によって分割割符ファイル化処理して分割割符ファイルを生成する分割割符ファイル生成手段、
分割割符ファイルを復元化処理して元のファイルに復元化する復元処理手段、及び復元化前処理アプリケ―ション装置を備え、端末に前記復元化前処理アプリケ―ション装置によって復元化前処理をさせる方法において、
当該端末の設定場所を含む地点及び当該地点を中心として任意の地域範囲を表示させ、当該地域範囲内の任意場所を当該端末の管理者に指定させて当該端末についての緯度と経度を持つ使用場所を設定させることで、複数の使用場所を登録させることを可能とさせるものであって、複数登録した使用場所を１画面上に編集させることを可能とし、
端末の有する位置情報取得手段が取得した当該端末の位置する現在の地理的位置情報から当該端末の位置する現在の使用場所を取得して使用可能とさせ、
一般ユーザから、前記復元処理手段への分割割符ファイルを元のファイルに復元化処理指示があったときに、前記復元処理手段が分割割符ファイルを元のファイルに復元化することに先立って、当該端末の位置する現在の使用場所を、１画面上に編集された  登録された使用場所に含まれるかどうかを比較させ、当該現在の使用場所が登録された使用場所に含まれる判定があったときに、前記復元処理手段に復元処理を許可させて、復元化前処理させること
を特徴とする端末に復元化前処理アプリケ―ション装置によって復元化前処理をさせる方法提供する。
【００１９】
本発明は、上述された端末に復元化前処理アプリケ―ション装置によって復元化前処理をさせる方法を備えて、端末が実行するファイルの割符処理方法及び復元処理方法であって、
端末の画面表示手段の画面に、当該端末の設定位置を現す地点及び当該地点を中心として任意の地域範囲を表示し、当該地域範囲内の任意場所を当該端末の管理者に指定させて当該端末についての緯度と経度を持つ使用場所を設定させることで、複数の使用場所を登録させることを可能とさせるものであって、複数登録した使用場所を１画面上に編集させることを可能とし、
端末の有する位置情報取得手段が取得した当該端末の位置する現在の地理的位置情報から当該端末の位置する現在の使用場所を使用可能とし、
一般ユーザから、前記復元処理手段への分割割符ファイルを元のファイルに復元化機密化処理指示があったときに、前記復元処理  手段が分割割符ファイルを元のファイルに復元化することに先立って、当該端末の位置する現在の使用場所を、１画面上に編集された、登録された使用場所に含まれるかどうかを比較し、当該現在の使用場所が登録された使用場所に含まれる判定をしたときに、前記復元処理手段に復元処理を許可して、復元化前処理し、
分割割符ファイルから元のファイルを復元化すること
を特徴とする端末が実行するファイルの割符処理方法及び復元化処理方法提供する。
【００２０】
本発明は、上述された端末が実行するファイルの割符処理方法及び復元化処理方法において、
端末の画面表示手段の画面に、当該端末の設定場所を含む地点及び緯度と経度を持つ当該地点を中心として任意の半径内の地域範囲を表示させることを特徴とする端末が実行するファイルの割符処理方法及び復元化処理方法提供する。
【発明の効果】
【００２１】
本発明によれば、上述したように、端末に復元化前処理アプリケ―ション装置を装着することができ、これによって端末に、前記復元処理手段への機密処理ファイルを元のファイルに復元化処理指示があったときに、前記復元処理手段が機密処理ファイルを元のファイルに復元化することに先立って、当該端末の位置する現在の使用場所を、１画面上に編集された登録された使用場所に含まれるかどうかを比較させ、当該現在の使用場所が登録された使用場所に含まれる判定があったときに、前記復元処理手段に復元処理を許可させて、復元化前処理させることができる。例えば、前記復元処理手段への分割割符ファイルを元のファイルに復元化処理指示があったときに、前記復元処理手段が分割割符ファイルを元のファイルに復元化することに先立って、当該端末の位置する現在の使用場所を、１画面上に編集された  登録された使用場所に含まれるかどうかを比較させ、当該現在の使用場所が登録された使用場所に含まれる判定があったときに、前記復元処理手段に復元処理を許可させて、復元化前処理させることができる。
【００２２】
これによって、機密保護方法が適用されたファイルについて復元化処理をするに際して、管理者が端末の使用場所を指定して限定的に登録するものとし、紛失したり盗難されたり、あるいは不正使用された場合にあっても、セキュリテイの危険性をなくし、一方一般ユーザにとって、この限定的な登録の範囲内にあって使い勝手のよい使用場所設定であるものとなすことで、一般ユーザの使用上の便宜を図って使い勝手のよい復元化前処置を行うようにして、セキュリテイ上の安全性を向上させることができる。
【図面の簡単な説明】
【００２３】
【図１】本発明の実施例である復元化前処理アプリケ―ション装置を備えた端末の構成をブロックで示す図
【図２】端末管理システムの内容をブロックで示す図
【図３】割符環境設定の[使用場所登録]画面を示す画面詳細図
【図４】画面詳細図の［編集］ボタン４３またはクリック［追加ボタン］４４をクリックした場合の画面図
【図５】画面遷移図（管理者アカウント使用時）
【図６】図５に示される画面４０Aの拡大図
【図７】図５に示される画面４０Bの拡大図
【図８】図５に示される画面４０Cの拡大図
【図９】図５に示される画面４０Dの拡大図
【図１０】画面遷移図（一般ユーザアカウント使用時）
【発明を実施するための形態】
【００２４】
以下、本発明の実施例を図面に基づいて説明する。
【００２５】
図１は、本発明の実施例である本発明の実施例である復元化前処理アプリケ―ション装置を備えた端末の構成をブロックで示す図である。本発明は、プログラム又はデータが記述されたファイルを機密化処理して機密化処理ファイルを生成する機密化処理ファイル生成手段及び機密化処理ファイルを復元化処理して元のファイルに復元化する復元化手段を備えた端末に関する。機密ファイルを保護する方法としては、プログラム又はデータを暗号化する手段による保護方法あるいはプログラム又はデータを符号化処理によって割符処理する手段による保護方法などがある。このような保護方法が端末上に装着される。以下に示す実施例ではプログラム又はデータを符号化処理によって割符処理する手段による保護方法が例に採って説明されるが、本発明は、この方法に限定されず、広く機密ファイルを保護する方法に適用可能である。
【００２６】
図１において、業者１によって作成された復元化前処理アップリケーション装置４を主体にして端末管理システム１００が構成される。
【００２７】
復元化前処理アップリケーション装置４は、
割符環境設定手段、及び
割符設定環境確認手段
を持つようにして構成される。復元化前処理アップリケーション装置４が端末１０に装着される。復元化前処理アプリケ―ション装置は、復元化前処理アプリケ―ションプログラムをＵＳＢに内在させて、あるいは直接的に端末１０に装着される。これらに限定されない。端末１０は、割符環境設定手段５及び割符設定環境確認手段６を備える。
【００２８】
また、業者１は、管理者２自体であってもよい。
【００２９】
端末１０は、割符アプリケ―ション装置を備える。割符アプリケ―ション装置を備えた端末１０は、割符ファイル１２を符号化処理でもって分割割符ファイル１２Aとする分割割符ファイル生成装置１１を独立した機能として備える。割符ファイル１２は、外部で作成されて端末１０に装着される場合と、端末１０の持つコンピューテイング機能によって一般ユーザによって生成される場合とがある。生成された分割割符ファイル１２Aは、指定された装置に個別に保存される。保存された分割割符ファイル１２Aは、復元処理手段１３に集合され、復元されて復元ファイル１４とされる。復元ファイル１４が元の一般ユーザ３に提供される。
【００３０】
装着された割符環境設定手段５は、管理者２によってのみ操作可能とされる。
【００３１】
割符環境設定手段５は、使用場所設定２１及び画面表示による使用場所の登録２２からなる。
【００３２】
管理者２は、端末１０の画面表示手段の画面に地点２３を表示する。地点２３を表示すると、割符環境設定手段５に持つ機能によって地点２３を中心として予め定められた半径２４の範囲の地域の地図が画面に表示される。半径２４の地域範囲は任意に設定変更され得る。半径に基づく地域範囲に代えて他の地域範囲、例えば多角形、代表的に四角形状に基づく地域範囲を設定してもよいが、半径に基づく地域範囲の設定が推奨される。ここでは、半径に基づく地域範囲の設定を例に採って説明する。表示された地域範囲は、少なくとも半径に基づく地域範囲を含むものとされる。
【００３３】
管理者２は、半径２４の範囲の地図２６が表示された画面上において、地点２３及び半径２４に基づく地域範囲を指定することで設定する。この設定された地点２３及び地域範囲が使用場所２５となって、使用場所２５及びその名前が格納手段に登録される。地点２３は、緯度と経度を持つ。
【００３４】
端末の画面表示手段の画面に、端末１０の使用場所の設定に当たり、緯度と経度を持つ地点及び当該地点を中心として任意の半径内の地域範囲を表示させる。管理者２に、画面上の表示に基づいて使用場所を設定させる。割符環境設定手段５は、複数の使用場所を登録させることを可能とさせる。
【００３５】
管理者２は、使用場所２５を複数個設定し登録することができる。割符環境設定手段５が、地点に限定されず、指定された地域範囲を持つ使用場所２５を複数個登録させ、変更させ、削除させ、保存させ、これらを１画面に編集することで、一般ユーザ３が使い易いものとする。
【００３６】
このようにして、割符環境としての複数個の使用場所２５が格納手段に登録される。
【００３７】
また、端末１０は、位置情報取得手段７を備える。
【００３８】
位置情報取得手段７は、現在地情報提供デバイス８に現在地情報の提供を要求する。現在地情報提供デバイス８は、例えばセルＩＤ２７、Ｗｉ−Ｆｉ２８あるいはＧＰＳ２９によって形成される。
【００３９】
現在地情報提供デバイス８は、端末１９、すなわち対象となるコンピュータの現在地を取得し、端末１０に伝送する。端末１０は、端末１０の現在の地理的位置３０を時々刻々に取得し、割符設定環境確認手段６は、現在の使用場所３１を時々刻々に取得する。
【００４０】
割符設定環境確認手段６は、割符環境設定手段５に登録された割符環境情報を読み出すことを行う。
【００４１】
今、一般ユーザ３が、割符アプリケ―ション装置を用いて割符ファイル１０の割符分割ファイル１２を集約して復元操作を行う。割符設定環境確認手段６は、この復元化処理３５があると、復元化処理情報３６として取得する。復元化処理情報３６に基づいて、割符環境設定手段５に、登録された割符環境情報の読み出しを要求する。これによって、登録された使用場所３７が読み出される。
【００４２】
時々刻々に取得された、現在の使用場所３１は、登録された使用場所３３に比較される。これによって、端末１０（対象のコンピュータ）の現在地は、登録された使用場所３１のいずれかに含まれるかが判定３８される。次いで、復元不許可フラグ有無確認がなされる。
【００４３】
登録された使用場所３７のいずれかに含まれる場合、復元不許可フラグを設定しない（３９）。含まれない場合、復元不許可フラグを設定する（４０）。復元不許可フラグを設定しないことで、一般ユーザからのファイル復元要求を受け付ける。復元不許可フラグを設定することで、一般ユーザからのファイル復元要求を受け付けない。この場合には、判定３８に戻って、比較・判定が繰り返される。
【００４４】
復元不許可フラグを設定しないことの情報に基づいて復元許可４１がなされる。ファイル復元要求に基づいて復元が許可される。
【００４５】
このように、復元不許可フラグ有無確認の内、復元不許可フラグ無確認がなされると、上述した割符アプリケ―ション装置を用いて割符ファイル１２の割符分割ファイル１２Aを復元処理手段１３が集約して復元がなされ、復元ファイル１４が生成され、一般ユーザ３に提供される。
【００４６】
復元不許可フラグ有確認がなされると、上述した割符アプリケ―ション装置を用いて割符ファイル１２の分割割符ファイル１２Aを集約して行う復元がなされず、復元ファイル１４が生成されることがない。したがって、復元ファイル１４が一般ユーザ３に提供されることがない。
【００４７】
図２は、端末管理システム１００の内容をブロックで示す図である。
【００４８】
図２において、端末管理システム１００は、割符アップリケ―ション装置１０１、復元化前処理アプリケーション装置４、格納手段１０２、画面表示手段１０３及び通信手段１０４を有して構成される。
【００４９】
割符アップリケ―ション装置１０１は、分割割符ファイル生成手段１１及び復元化手段１３を備える。
【００５０】
復元化前処理アプリケーション装置４は、割符アップリケ―ション装置１０１に独立したモジュールとして構成され、管理者及び一般ユーザ登録手段１１１、割符環境設定手段５、割符設定環境確認手段６を備える。
【００５１】
割符環境設定手段５は、地点及び半径範囲地図表示、使用場所の複数設定登録及び使用場所の１画面編集機能を持つ。割符環境設定手段５は、管理者及び一般ユーザ登録手段１１１による設定登録操作の制限機能によって管理者３として登録した者のみによって操作がなされ得る。管理者３は、割符環境設定手段５の機能を無効にすることもできる。
【００５２】
割符設定環境確認手段６は、端末の現在の使用場所取得、復元化処理情報の取得、登録された使用場所の取得、双方の使用場所の比較と同一性（現在の使用場所が登録された使用場所の範囲内にある場合を同一という。）判定、フラグの設定処理及び復元不許可フラグ有無確認機能を持つ。
【００５３】
格納手段１０２は、設定された複数の設定使用場所の格納機能を持つ。
【００５４】
画面表示手段１０３は、その画面上での１画面編集機能を持ち、画面を順次遷移させて表示させる機能を持つ。管理者２は、画面上で各種の処理を行うことができる。
【００５５】
通信手段１０４は、位置情報取得機能を持ち、時々刻々の端末１０の現在の使用場所を提示する機能を持つ。
【００５６】
以上のように、端末管理システム１００が、復元化前処理アプリケ―ション装置４を端末１０に装着されることで構成される。
【００５７】
端末１０は、プログラム又はデータが記述されたファイルを機密化処理して機密化処理ファイルを生成する機密化処理ファイル生成手段、及び機密化処理ファイルを復元化処理して元のファイルに復元化する復元処理手段を備える。
【００５８】
端末１０は、機密化処理が割符分割処理である場合に、プログラム又はデータが記述されたファイルを符号化処理によって分割割符ファイル化処理して分割割符ファイル１２Aを生成する分割割符ファイル生成手段１１、及び分割割符ファイル１２Aを復元化処理して元のファイルに復元化する復元処理手段１３を備える。
【００５９】
端末１０に装着される復元化前処理アプリケ―ション装置４は、
当該復元化前処理アプリケ―ション装置４を管理する管理者２を制限的に登録することを可能とし、一般ユーザ３が当該復元化前処理アプリケ―ション装置４を用いることを禁じ、及び当該端末１０の使用を許可する一般ユーザ３を登録して使用することを可能とする。
【００６０】
機密化処理が割符分割処理である場合に、端末１０に装着される復元化前処理アプリケ―ション装置４は、
当該端末を管理する管理者及び当該端末の使用を許可する一般ユーザを登録することを可能とし、
割符環境設定手段及び割符設定環境確認手段を有し、当該割符処理環境設定手段が、
端末の画面表示手段の画面に、当該端末の設定場所を含む地点及び当該地点を中心として任意の半径内の地域範囲を表示させ、当該地域範囲内の任意場所を当該端末の管理者に指定させて当該端末の使用場所を設定させて、使用場所の緯度と経度を設定させ、使用場所の緯度と経度を持つ画面を登録させ、前記地点を変更して使用場所の緯度と経度を持つ画面を複数登録させることを可能とさせるものであって、複数登録した使用場所を１画面上に編集させ、
当該割符設定環境確認手段が、
端末の有する位置情報取得手段が取得した当該端末の位置する現在の地理的位置情報から当該端末の位置する現在の使用場所を使用可能とさせ、
一般ユーザから、前記復元処理手段への分割割符ファイルを元のファイルに復元化処理指示があったときに、前記復元処理手段が分割割符ファイルを元のファイルに復元化することに先立って、当該端末の位置する現在の使用場所を、１画面上に編集された  登録された使用場所に含まれるかどうかを比較させ、当該現在の使用場所が登録された使用場所に含まれる判定があったときに、前記復元処理手段に復元処理を許可させて、復元化前処理させる。
これによって、機密保護方法が適用されたファイルについて復元化処理をするに際して、管理者が端末の使用場所を指定して限定的に登録するものとし、紛失したり盗難されたり、あるいは不正使用された場合にあっても、セキュリテイの危険性をなく
図３は、割符環境設定の[使用場所登録]画面を示す画面詳細図である。
【００６１】
画面４０は、登録場所でのみ復元を許可することを記載する部分４１と登録場所リストを記載する部分４２を有する。
【００６２】
[使用場所]を有効にするには、チェックボックスにチェックをいれる。
【００６３】
登録された地点２３から半径を指定する。登録された地点２３を中心とした、指定された半径２４を持つ円領域が使用場所になる。画面では、１０００メートルと設定された。１０００メートルの円領域が使用場所となる。セルＩＤ２７、Ｗｉ−Ｆｉ２８あるいはＧＰＳ２９の現行の精度を考慮すると、実用的には、最大円領域は、半径１０００メートル、最小円領域は、半径１０メートルである。
【００６４】
上述したように、端末の画面表示手段の画面に、当該端末の設定場所を含む地点及び緯度と経度を持つ当該地点を中心として任意の半径内の地域範囲を表示させ、当該地域範囲を当該端末の管理者に指定させて当該端末についての使用場所を当該地域範囲に設定させることで、複数の使用場所を登録させることを可能となる。
【００６５】
既に登録されている使用場所がリストに表示される。Ｎｏ、場所名、緯度経度が表示される。画面では、本願出願人の使用場所を設定している。画面上において、現在登録されている使用場所は一つのみであるが、複数設定登録することができる。
【００６６】
位置情報取得手段７を含む位置情報認証機能を使うには、割符の環境設定に入り、画面の左側にあるメニューバーの五番目のアイコンをクリックする。画面内では、項目名が[使用場所登録]となっている。
【００６７】
画面の下部に、［編集］ボタン４３、［追加ボタン］４４、［割符設定保存追加ボタン］４５及び［削除］ボタン４６を備える。
【００６８】
図４は、画面詳細図の［編集］ボタン４３または［追加ボタン］４４をクリックした場合の画面図である。
【００６９】
画面４０は、使用場所指定５１を表示する。
【００７０】
住所又は使用場所を入力し、［住所から検索］ボタンをクリックすると、入力フイールドの下部にいくつかの検索候補が表示される。住所又はランドマーク名の一部を入力フイールドに入力すると、検索候補が表示される。一般ユーザ３は、その中の目的の使用場所があれば、その候補をクリックする。
【００７１】
マップが表示され、登録された地点がマップ中央に表示される。
【００７２】
設定した使用場所に対し、任意の表示の名前（使用場所の名前）を入力する。画面では、本願出願人の使用場所が〇〇〇〇で設定された。
【００７３】
図５は、画面遷移図（管理者アカウント使用時）である。
【００７４】
図３に示す図上で、［編集］ボタン４３、［追加ボタン］４４、［削除］ボタン４６及び［割符設定保存追加ボタン］４５をクリックすると、画面４０Ａ、４０Ｂ、４０Ｃ、４０Ｄが表示される。画面４０Ａ、４０Ｂ、４０Ｃ、４０Ｄの拡大図を図６〜図９に示す。
【００７５】
［編集］ボタン４３をクリックすると、画面４０Ａ上で既存の使用場所の位置や名前を編集できる。
【００７６】
［追加ボタン］４４をクリックすると、画面４０Ｂ上で使用場所を新規作成することができる。使用場所の位置や名前を新規に入力する。
【００７７】
［削除］ボタン４６をクリックすると、画面４０Ｃ上で既存の使用場所及び名前を削除することができる。
【００７８】
［割符設定保存追加ボタン］４５をクリックすると、画面４０Ｄ上で設定した使用場所及び名前を格納手段に格納できる。
【００７９】
図１０は、画面遷移図（一般ユーザアカウント使用時）である。
【００８０】
図３に示す図上で、一般ユーザは、［編集］ボタン４３、［追加ボタン］４４、［削除］ボタン４６を使用することができず、［割符設定保存追加ボタン］４５のみ使用することができる。  [割符設定保存追加ボタン］４５をクリックすると、画面４０Ｄ上で設定した使用場所及び名前を格納手段に格納できる。
【００８１】
復元化前処理アプリケ―ション装置を備えた端末であって、
当該割符処理環境設定手段によって、
端末の画面表示手段の画面に、当該端末の設定場所を含む地点及び緯度と経度を持つ当該地点を中心として任意の地域範囲を表示させ、当該地域範囲を当該端末の管理者に指定させて当該端末についての使用場所を当該地域範囲に設定させることで、複数の使用場所を登録させることを可能とさせるものであって、複数登録した使用場所を１画面上に編集させることを可能として、複数登録した使用場所を１画面上に編集し、
当該設定環境確認手段によって、
端末の有する位置情報取得手段が取得した当該端末の位置する現在の地理的位置情報から当該端末の位置する現在の使用場所を比較のため使用可能とし、
一般ユーザから、前記復元処理手段への分割割符ファイルを元のファイルに復元化処理指示があったときに、前記復元処理手段が分割割符ファイルを元のファイルに復元化することに先立って、当該端末の位置する現在の使用場所を、１画面上に編集された使用場所に含まれるかどうかを比較し、当該現在の使用場所が登録された使用場所に含まれる判定をしたときに、前記復元処理手段に復元処理を許可して、復元化前処理し、
分割割符ファイルから元のファイルを復元化する。
【００８２】
上述した実施例では、割符分割処理である場合における端末に装着される復元化前処理アプリケ―ション装置及び復元化前処理アプリケ―ション装置によって復元化前処理して端末に機密化処理されたファイルを生成させ、復元させる方法について説明したが、本実施例は、割符分割処理である場合に限られず、他の機密保護処理、例えば暗号化処理による機密保護処理に場合についても適用可能である。
【００８３】
機密保護処理に場合にあって、端末１０に装着される復元化前処理アプリケ―ション装置４は、当該復元化前処理アプリケ―ション装置４を管理する管理者２を制限的に登録することを可能とし、及び当該端末１０の使用を許可する一般ユーザ３を登録することを可能とし、
機密化処理環境設定手段及び設定環境確認手段を有し、当該機密化処理環境設定手段が、
端末の画面表示手段の画面に、当該端末の設定場所を含む地点及び当該地点を中心として任意の半径内の地域範囲を表示させ、当該地域範囲内の任意場所を当該端末の管理者に指定させて当該端末の使用場所を設定させて、使用場所の緯度と経度を設定させ、使用場所の緯度と経度を持つ画面を登録させ、前記地点を変更して使用場所の緯度と経度を持つ画面を複数登録させることを可能とさせるものであって、複数登録した使用場所を１画面上に編集させ、
当該設定環境確認手段が、
端末の有する位置情報取得手段が取得した当該端末の位置する現在の地理的位置情報から当該端末の位置する現在の使用場所を使用可能とさせ、
一般ユーザから、前記復元処理手段への機密処理ファイルを元のファイルに復元化処理指示があったときに、前記復元処理手段が機密処理ファイルを元のファイルに復元化することに先立って、当該端末の位置する現在の使用場所を、１画面上に編集された登録された使用場所に含まれるかどうかを比較させ、当該現在の使用場所が登録された使用場所に含まれる判定があったときに、前記復元処理手段に復元処理を許可させて、復元化前処理させる。
【００８４】
この例では、当該地域範囲内の任意場所を当該端末の管理者に指定させて当該端末の使用場所を設定させたが、指定するものを特定することなく、端末を所有する者が指定できるようにすることができる。この場合には、端末１０に装着される復元化前処理アプリケ―ション装置４は、
端末が、プログラム又はデータが記述されたファイルを機密化処理して機密化処理ファイルを生成する機密化処理ファイル生成手段、及び
機密化処理ファイルを復元化処理して元のファイルに復元化する復元処理手段を備え、当該端末に装着される復元化前処理アプリケ―ション装置であって、
機密化処理環境設定手段及び設定環境確認手段を有し、当該機密化処理環境設定手段が、
端末の画面表示手段の画面に、当該端末の設定場所を含む地点及び緯度と経度を持つ当該地点を中心として任意の地域範囲を表示させ、当該地域範囲を指定させると当該端末についての使用場所が設定され、複数の使用場所を登録させることを可能とさせるものであって、複数登録した使用場所を１画面上に編集させることを可能とし、
当該設定環境確認手段が、
端末の有する位置情報取得手段が取得した当該端末の位置する現在の地理的位置情報から当該端末の位置する現在の使用場所を取得して使用可能とさせ、
前記復元処理手段への機密処理ファイルを元のファイルに復元化処理指示があったときに、前記復元処理手段が機密処理ファイルを元のファイルに復元化することに先立って、当該端末の位置する現在の使用場所を、１画面上に編集された登録された使用場所に含まれるかどうかを比較させ、当該現在の使用場所が登録された使用場所に含まれる判定があったときに、前記復元処理手段に復元処理を許可させて、復元化前処理させることになる。
【００８５】
復元化前処理アプリケ―ション装置を備えた端末は、
当該機密化処理環境設定手段によって、
端末の画面表示手段の画面に、当該端末の設定位置を現す地点及び当該地点を中心として任意の地域範囲を表示し、当該地域範囲内の任意場所を当該端末の管理者に指定させて当該端末についての緯度と経度を持つ使用場所を設定させることで、複数の使用場所を登録させることを可能とさせるものであって、複数登録した使用場所を１画面上に編集させることを可能として、複数登録した使用場所を１画面上に編集し、
当該設定環境確認手段によって、
端末の有する位置情報取得手段が取得した当該端末の位置する現在の地理的位置情報から当該端末の位置する現在の使用場所を比較のため使用可能とし、
一般ユーザから、前記復元処理手段への機密処理ファイルを元のファイルに復元化機密化処理指示があったときに、前記復元処理手段が機密処理ファイルを元のファイルに復元化することに先立って、当該端末の位置する現在の使用場所を、１画面上に編集された  登録された使用場所に含まれるかどうかを比較し、当該現在の使用場所が登録された使用場所に含まれる判定をしたときに、前記復元処理手段に復元処理を許可して、復元化前処理し、
機密処理ファイルから元のファイルを復元化することができる。
【００８６】
本実施例によれば、上述したように、端末に復元化前処理アプリケ―ション装置を装着することができ、これによって端末に、前記復元処理手段への機密処理ファイルを元のファイルに復元化処理指示があったときに、前記復元処理手段が機密処理ファイルを元のファイルに復元化することに先立って、当該端末の位置する現在の使用場所を、１画面上に編集された登録された使用場所に含まれるかどうかを比較させ、当該現在の使用場所が登録された使用場所に含まれる判定があったときに、前記復元処理手段に復元処理を許可させて、復元化前処理させることができる。例えば、前記復元処理手段への分割割符ファイルを元のファイルに復元化処理指示があったときに、前記復元処理手段が分割割符ファイルを元のファイルに復元化することに先立って、当該端末の位置する現在の使用場所を、１画面上に編集された  登録された使用場所に含まれるかどうかを比較させ、当該現在の使用場所が登録された使用場所に含まれる判定があったときに、前記復元処理手段に復元処理を許可させて、復元化前処理させることができる。
【００８７】
これによって、機密保護方法が適用されたファイルについて復元化処理をするに際して、管理者が端末の使用場所を指定して限定的に登録するものとし、紛失したり盗難されたり、あるいは不正使用された場合にあっても、セキュリテイの危険性をなくし、一方一般ユーザにとって、この限定的な登録の範囲内にあって使い勝手のよい使用場所設定であるものとなすことで、一般ユーザの使用上の便宜を図って使い勝手のよい復元化前処置を行うようにして、セキュリテイ上の安全性を向上させることができる。
【符号の説明】
【００８８】
１００…端末管理システム、１…業者、２…管理者、３…一般ユーザ、４…復元化前処理アップリケーション装置、５…割符環境設定手段、６…割符設定環境確認手段、７…位置情報取得手段、８…現在地情報提供デバイス、９…端末（コンピュータ）の現在地、１０…端末、１１…分割割符ファイル生成手段、１２…割符ファイル、１２A…分割割符ファイル、１３…復元処理手段、１４…復元ファイル、２１…使用場所設定、２２…使用場所の登録、２３…地点、２４…半径、３１…現在の使用場所、３６…復元化処理情報、３７…登録された使用場所、３８…端末（コンピュータ）の現在地は、使用場所に含まれるかどうかの判定、４１…復元許可。  
【図１】
2020009150.tif 000003
【図２】
2020009150.tif 000004
【図３】
2020009150.tif 000005
【図４】
2020009150.tif 000006
【図５】
2020009150.tif 000007
【図６】
2020009150.tif 000008
【図７】
2020009150.tif 000009
【図８】
2020009150.tif 000010
【図９】
2020009150.tif 000011
【図１０】
2020009150.tif 000012
【手続補正書】
【提出日】平成30年10月17日(2018.10.17)
【手続補正１】
【補正対象書類名】特許請求の範囲
【補正対象項目名】全文
【補正方法】変更
【補正の内容】
【特許請求の範囲】
【請求項１】
端末が、プログラム又はデータが記述されたファイルを機密化処理して機密化処理ファイルを生成する機密化処理ファイル生成手段、及び
機密化処理ファイルを復元化処理して元のファイルに復元化する復元処理手段を備え、当該端末に装着される復元化前処理アプリケ―ション装置であって、
当該復元化前処理アプリケ―ション装置を管理する管理者を制限的に登録することを可能とし、及び当該端末の使用を許可する一般ユーザを登録することを可能とし、
機密化処理環境設定手段及び設定環境確認手段を有し、当該機密化処理環境設定手段が、
端末の画面表示手段の画面に、当該端末の設定場所を含む地点及び緯度と経度を持つ当該地点を中心として任意の地域範囲を表示させ、当該地域範囲を当該端末の管理者に指定させて当該端末についての使用場所を設定させることで、複数の使用場所を登録させることを可能とさせるものであって、複数登録した使用場所を１画面上に編集させることを可能とし、
当該設定環境確認手段が、
端末の有する位置情報取得手段が取得した当該端末の位置する現在の地理的位置情報から当該端末の位置する現在の使用場所を取得して使用可能とさせ、
一般ユーザから、前記復元処理手段への機密処理ファイルを元のファイルに復元化処理指示があったときに、前記復元処理手段が機密処理ファイルを元のファイルに復元化することに先立って、当該端末の位置する現在の使用場所を、１画面上に編集された登録された使用場所に含まれるかどうかを比較させ、当該現在の使用場所が登録された使用場所に含まれる判定があったときに、前記復元処理手段に復元処理を許可させて、復元化前処理させること
を特徴とする復元化前処理アプリケ―ション装置。
【請求項２】
請求項１に記載された復元化前処理アプリケ―ション装置を備えた端末であって、
当該機密化処理環境設定手段によって、
端末の画面表示手段の画面に、当該端末の設定位置を現す地点及び当該地点を中心として任意の地域範囲を表示し、当該地域範囲内の任意場所を当該端末の管理者に指定させて当該端末についての緯度と経度を持つ使用場所を設定させることで、複数の使用場所を登録させることを可能とさせるものであって、複数登録した使用場所を１画面上に編集させることを可能として、複数登録した使用場所を１画面上に編集し、
当該設定環境確認手段によって、
端末の有する位置情報取得手段が取得した当該端末の位置する現在の地理的位置情報から当該端末の位置する現在の使用場所を比較のため使用可能とし、
一般ユーザから、前記復元処理手段への機密処理ファイルを元のファイルに復元化機密化処理指示があったときに、前記復元処理手段が機密処理ファイルを元のファイルに復元化することに先立って、当該端末の位置する現在の使用場所を、１画面上に編集された、登録された使用場所に含まれるかどうかを比較し、当該現在の使用場所が登録された使用場所に含まれる判定をしたときに、前記復元処理手段に復元処理を許可して、復元化前処理し、
機密処理ファイルから元のファイルを復元化すること
を特徴とする復元化前処理アプリケ―ション装置を備えた端末。
【請求項３】
端末が、プログラム又はデータが記述されたファイルを機密化処理して機密化処理ファイルを生成する機密化処理ファイル生成手段、及び
機密化処理ファイルを復元化処理して元のファイルに復元化する復元処理手段を備え、当該端末に装着される復元化前処理アプリケ―ション装置であって、
機密化処理環境設定手段及び設定環境確認手段を有し、当該機密化処理環境設定手段が、
端末の画面表示手段の画面に、当該端末の設定場所を含む地点及び緯度と経度を持つ当該地点を中心として任意の地域範囲を表示させ、当該地域範囲を指定させると当該端末についての使用場所が設定され、複数の使用場所を登録させることを可能とさせるものであって、複数登録した使用場所を１画面上に編集させることを可能とし、
当該設定環境確認手段が、
端末の有する位置情報取得手段が取得した当該端末の位置する現在の地理的位置情報から当該端末の位置する現在の使用場所を取得して使用可能とさせ、
前記復元処理手段への機密処理ファイルを元のファイルに復元化処理指示があったときに、前記復元処理手段が機密処理ファイルを元のファイルに復元化することに先立って、当該端末の位置する現在の使用場所を、１画面上に編集された登録された使用場所に含まれるかどうかを比較させ、当該現在の使用場所が登録された使用場所に含まれる判定があったときに、前記復元処理手段に復元処理を許可させて、復元化前処理させること
を特徴とする復元化前処理アプリケ―ション装置。
【請求項４】
端末が、プログラム又はデータが記述されたファイルを機密化処理して機密化処理ファイルを生成する機密化処理ファイル生成手段、及び
機密化処理ファイルを復元化処理して元のファイルに復元化する復元処理手段を備え、当該端末に装着される復元化前処理アプリケ―ション装置によって復元化前処理し端末に機密化処理されたファイルを生成させ、復元させる方法において、
端末の画面表示手段の画面に、当該端末の設定場所を含む地点及び緯度と経度を持つ当該地点を中心として任意の地域範囲を表示させ、当該地域範囲を当該端末の管理者に指定させて当該端末についての使用場所を設定させることで、複数の使用場所を登録させることを可能とさせるものであって、複数登録した使用場所を１画面上に編集させることを可能とし、
端末の有する位置情報取得手段が取得した当該端末の位置する現在の地理的位置情報から当該端末の位置する現在の使用場所を取得して使用可能とさせ、
一般ユーザから、前記復元処理手段への機密処理ファイルを元のファイルに復元化機密化処理指示があったときに、前記復元処理手段が機密処理ファイルを元のファイルに復元化することに先立って、当該端末の位置する現在の使用場所を、１画面上に編集された  登録された使用場所に含まれるかどうかを比較させ、当該現在の使用場所が登録された使用場所に含まれる判定があったときに、前記復元処理手段に復元処理を許可させて、復元化前処理させること
を特徴とする復元化前処理アプリケ―ション装置によって復元化前処理して端末に機密化処理されたファイルを生成させ、復元させる方法。
【請求項５】
請求項４に記載された復元化前処理アプリケ―ション装置によって復元化前処理して端末に機密化処理されたファイルを生成させ、復元させる方法を有して、当該端末が実行するファイルの機密化処理方法及び復元化処理方法であって、
端末の画面表示手段の画面に、当該端末の設定位置を現す地点及び当該地点を中心として任意の地域範囲を表示し、当該地域範囲内の場所を当該端末の管理者に指定させて当該端末の使用場所を設定し、使用場所の緯度と経度を設定し、使用場所の緯度と経度を持つ画面を登録させ、前記地点を変更して使用場所の緯度と経度を持つ画面を複数登録させることを可能とするものであって、複数登録した使用場所を１画面上に編集し、
端末の有する位置情報取得手段が取得した当該端末の位置する現在の地理的位置情報から当該端末の位置する現在の使用場所を使用可能とし、
一般ユーザから、前記復元処理手段への機密処理ファイルを元のファイルに復元化指示があったときに、前記復元処理手段が機密処理ファイルを元のファイルに復元化することに先立って、当該端末の位置する現在の使用場所を、１画面上に編集された登録された使用場所に含まれるかどうかを比較し、当該現在の使用場所が登録された使用場所に含まれる判定をしたときに、前記復元処理手段に復元処理を許可して、復元処理前処理し、
機密処理ファイルから元のファイルを復元化すること
を特徴とする端末が実行するファイルの機密化処理方法及び復元化処理方法。
【請求項６】
端末が、プログラム又はデータが記述されたファイルを符号化処理によって分割割符ファイル化処理して分割割符ファイルを生成する分割割符ファイル生成手段、及び
分割割符ファイルを復元化処理して元のファイルに復元化する復元処理手段を備え、当該端末に装着される復元化前処理アプリケ―ション装置であって、
当該端末を管理する管理者及び当該端末の使用を許可する一般ユーザを登録することを可能とし、
割符環境設定手段及び割符設定環境確認手段を有し、当該割符環境設定手段が、
端末の画面表示手段の画面に、当該端末の設定場所を含む地点及び緯度と経度を持つ当該地点を中心として任意の地域範囲を表示させ、当該地域範囲を当該端末の管理者に指定させて当該端末についての使用場所を設定させることで、複数の使用場所を登録させることを可能とさせるものであって、複数登録した使用場所を１画面上に編集させることを可能とし、
当該割符設定環境確認手段が、
端末の有する位置情報取得手段が取得した当該端末の位置する現在の地理的位置情報から当該端末の位置する現在の使用場所を取得して使用可能とさせ、
一般ユーザから、前記復元処理手段への分割割符ファイルを元のファイルに復元化処理指示があったときに、前記復元処理手段が分割割符ファイルを元のファイルに復元化することに先立って、当該端末の位置する現在の使用場所を、１画面上に編集された登録された使用場所に含まれるかどうかを比較させ、当該現在の使用場所が登録された使用場所に含まれる判定があったときに、前記復元処理手段に復元処理を許可させて、復元化前処理させること
を特徴とする復元化前処理アプリケ―ション装置。
【請求項７】
請求項６に記載された復元化前処理アプリケ―ション装置において、
端末の画面表示手段の画面に、当該端末の設定場所を含む地点及び緯度と経度を持つ当該地点を中心として任意の半径内の地域範囲を表示させることを特徴とする復元化前処理アプリケ―ション装置
【請求項８】
請求項６または７に記載された復元化前処理アプリケ―ション装置を備えた端末であって、
当該割符環境設定手段によって、
端末の画面表示手段の画面に、当該端末の設定場所を含む地点及び緯度と経度を持つ当該地点を中心として任意の地域範囲を表示させ、当該地域範囲を当該端末の管理者に指定させて当該端末についての使用場所を設定させることで、複数の使用場所を登録させることを可能とさせるものであって、複数登録した使用場所を１画面上に編集させることを可能として、複数登録した使用場所を１画面上に編集し、
当該割符設定環境確認手段によって、
端末の有する位置情報取得手段が取得した当該端末の位置する現在の地理的位置情報から当該端末の位置する現在の使用場所を比較のため使用可能とし、
一般ユーザから、前記復元処理手段への分割割符ファイルを元のファイルに復元化処理指示があったときに、前記復元処理手段が分割割符ファイルを元のファイルに復元化することに先立って、当該端末の位置する現在の使用場所を、１画面上に編集された使用場所に含まれるかどうかを比較し、当該現在の使用場所が登録された使用場所に含まれる判定をしたときに、前記復元処理手段に復元処理を許可して、復元化前処理し、
分割割符ファイルから元のファイルを復元化すること
を特徴とする復元化前処理アプリケ―ション装置を備えた端末。
【請求項９】
端末が、プログラム又はデータが記述されたファイルを符号化処理によって分割割符ファイル化処理して分割割符ファイルを生成する分割割符ファイル生成手段、
分割割符ファイルを復元化処理して元のファイルに復元化する復元処理手段、及び復元化前処理アプリケ―ション装置を備え、端末に前記復元化前処理アプリケ―ション装置によって復元化前処理をさせる方法において、
当該端末の設定場所を含む地点及び当該地点を中心として任意の地域範囲を表示させ、当該地域範囲内の任意場所を当該端末の管理者に指定させて当該端末についての緯度と経度を持つ使用場所を設定させることで、複数の使用場所を登録させることを可能とさせるものであって、複数登録した使用場所を１画面上に編集させることを可能とし、
端末の有する位置情報取得手段が取得した当該端末の位置する現在の地理的位置情報から当該端末の位置する現在の使用場所を取得して使用可能とさせ、
一般ユーザから、前記復元処理手段への分割割符ファイルを元のファイルに復元化処理指示があったときに、前記復元処理手段が分割割符ファイルを元のファイルに復元化することに先立って、当該端末の位置する現在の使用場所を、１画面上に編集された  登録された使用場所に含まれるかどうかを比較させ、当該現在の使用場所が登録された使用場所に含まれる判定があったときに、前記復元処理手段に復元処理を許可させて、復元化前処理させること
を特徴とする端末に復元化前処理アプリケ―ション装置によって復元化前処理をさせる方法。
【請求項１０】
請求項９に記載された端末に復元化前処理アプリケ―ション装置によって復元化前処理をさせる方法を備えて、端末が実行するファイルの割符処理方法及び復元処理方法であって、
端末の画面表示手段の画面に、当該端末の設定位置を現す地点及び当該地点を中心として任意の地域範囲を表示し、当該地域範囲内の任意場所を当該端末の管理者に指定させて当該端末についての緯度と経度を持つ使用場所を設定させることで、複数の使用場所を登録させることを可能とさせるものであって、複数登録した使用場所を１画面上に編集させることを可能とし、
端末の有する位置情報取得手段が取得した当該端末の位置する現在の地理的位置情報から当該端末の位置する現在の使用場所を使用可能とし、
一般ユーザから、前記復元処理手段への分割割符ファイルを元のファイルに復元化機密化処理指示があったときに、前記復元処理  手段が分割割符ファイルを元のファイルに復元化することに先立って、当該端末の位置する現在の使用場所を、１画面上に編集された  登録された使用場所に含まれるかどうかを比較し、当該現在の使用場所が登録された使用場所に含まれる判定をしたときに、前記復元処理手段に復元処理を許可して、復元化前処理し、
分割割符ファイルから元のファイルを復元化すること
を特徴とする端末が実行するファイルの割符処理方法及び復元化処理方法。
【請求項１１】
請求項１０に記載された端末が実行するファイルの割符処理方法及び復元化処理方法において、
端末の画面表示手段の画面に、当該端末の設定場所を含む地点及び緯度と経度を持つ当該地点を中心として任意の半径内の地域範囲を表示させることを特徴とする端末が実行するファイルの割符処理方法及び復元化処理方法。